(57)【特許請求の範囲】
【請求項１】
掘削方向に異なる孔幅を有する地中孔を掘削するための可変断面地中孔掘削装置であって、掘削機本体と、この掘削機本体の掘削方向前方に装着されたカッタードラムとを備え、このカッタードラムが地中孔の孔幅方向に伸縮可能な一対のドラム構成体によって構成され、これらのドラム構成体の外周壁部には、少なくとも回転軸線方向一端部に開口する不連続部と、回転軸線方向に延びる突出片とが、回転方向に所定間隔をおいて交互に形成されているとともに、一方のドラム構成体の突出片が他方のドラム構成体の不連続部に摺動自在に嵌合させられることにより前記カッタードラムが構成され、かつ、前記各突出片を含むドラム構成体の外面に、掘削用ビットが一体に取り付けられていることを特徴とする可変断面地中孔掘削装置。
【請求項２】
前記一対のドラム構成体の内の一方が、前記掘削機本体に対して回転軸方向の相対移動が拘束されているとともに、他方のドラム構成体が一方のドラム構成体に対して相対移動可能となされていることを特徴とする請求項１に記載の可変断面地中孔掘削装置。
【請求項３】
前記両ドラム構成体が、前記掘削機本体に対して回転軸方向に相対移動可能となされていることを特徴とする請求項１に記載の可変断面地中孔掘削装置。
【請求項４】
少なくとも前記両ドラム構成体の嵌合部分に対向する位置に、両ドラム構成体へ向けて洗浄液体を噴射する洗浄装置が設けられていることを特徴とする請求項１から請求項３の何れかに記載の可変断面地中孔掘削装置。
【発明の詳細な説明】
【０００１】
【産業上の利用分野】
本発明は、たとえば、連続地中壁等の構築作業に先立って行なわれる地中孔の掘削作業に用いられる掘削装置に係わり、特に、深さ方向において孔幅が変化する地中孔の掘削に用いられる可変断面地中孔掘削装置に関するものである。
【０００２】
【従来の技術】
従来、深さ方向に断面の異なる地中孔を掘削する場合、一般的には、掘削幅の大きな掘削機を用いて所定深さまで掘削し、ついで、掘削幅の小さな掘削機に入れ替えて幅狭の孔を掘削する技術が知られている。
ところで、このような技術であると、複数の掘削機を入れ替えて掘削作業を行なわなければならないことから、その作業がきわめて煩雑なものとなるといった不具合を有している。
そして、このような不具合は、作業スペースが狭い現場における掘削作業において顕著となる。
【０００３】
しかも、前述の技術によると、先行して掘削された地中孔の幅よりも小さな掘削幅を有する掘削機しか挿入することができないことから、上方が幅広く、下方が幅狭である断面形状の地中孔しか掘削することができず、その掘削可能な地中孔の断面形状が制限されてしまうといった問題点を有している。
【０００４】
一方、従来においては、このような不具合へ対処可能な掘削機が、たとえば、実開平４ー１２５４２号公報において提案されている。
図１に示すように、この掘削機１は、掘削機本体２と、この掘削機本体２の下方に設けられた複数のカッタードラム３とを備えているとともに、これらのカッタードラム３が、その回転軸線方向に相互に接近離間可能な構成となされている。
また、前記掘削機本体２の側部には、掘削方向と直交する方向に伸縮可能なアジャスタブルガイド４が、掘削方向に間隔おいて複数箇所に設けられており、これらのアジャスタブルガイド４が掘削された地中孔の内壁に接触させられることにより、地中孔に対する掘削機本体２の位置決めを行なうようになっている。
【０００５】
この掘削機１によって断面形状の異なる地中孔を掘削する際の手順について説明すれば以下のとおりである。
まず、図１（ａ）に示すように、両カッタードラム３を接近させた状態で回転させることにより、所定幅ａの地中孔Ａを掘削する。
この幅ａの地中孔Ａを所定深さまで掘削したのちに、両カッタードラム３を回転させつつ、図（ａ）に矢印（イ）で示すように、回転軸線方向で相互に離間する方向に移動させることにより、図（ｂ）に示すように、地中孔幅を幅ｂに拡大する。
【０００６】
これより、この幅ｂの地中孔Ｂを所定深さまで掘削するのであるが、この掘削機１においては、図１（ｂ）に示すように、掘削幅を拡大するために両カッタードラム３を離間させた状態であると、両カッタドラム３間に隙間が発生し、この隙間部分における掘削が行なえないことから、この状態で掘削を継続すると、前記隙間部分において掘削機本体２が地盤に接触してしまい、掘進が阻害されてしまう。
そこで、図（ａ）に示す状態から掘削幅を拡大したのちにおいて、図（ｂ）に矢印（ロ）で示すように、両カッタードラム３を再度接近させるように移動させて、図（ｃ）に示すように、両カッタードラム３を最接近位置に位置させ、この状態において図１（ｃ）に矢印（ハ）で示すように幅狭の掘削を所定深さ行ない、ついで、その深さ方向の掘削位置を保持した状態で、両カッタードラム３を離間させるように移動させて幅方向に掘進する、といった作業を順次繰り返すことにより、幅狭の地中孔Ａの下方に幅広の地中孔Ｂを掘削するようにしている。
【０００７】
【発明が解決しようとする課題】
このような、従来の掘削機１によって、比較的自由な断面形状の地中孔を掘削することが可能となったが、前述したように、掘削幅を拡大する際に、両カッタードラム３を、常に往復移動させながら掘進していかなければならず、その操作が面倒であるばかりでなく、掘削幅を均一にするためには、前記カッタードラム３の移動距離の制御を高精度に行なわなければならないといった新たな問題が発生する。
そして、このようなカッタードラム３の移動に際して、接近方向への移動時においては、掘削操作が殆どなされないことから、掘削能率が低下してしまう。
【０００８】
本発明は、このような従来の問題点に鑑みてなされたもので、掘削能率の低下を招くことなく、掘削幅の変更を容易かつ確実に行なうことのできる可変断面地中孔掘削装置を提供することを目的とする。
【０００９】
【課題を解決するための手段】
本発明の請求項１に記載の可変断面地中孔掘削装置は、前述した目的を達成するために、掘削方向に異なる孔幅を有する地中孔を掘削するための可変断面地中孔掘削装置であって、掘削機本体と、この掘削機本体の掘削方向前方に装着されたカッタードラムとを備え、このカッタードラムが地中孔の孔幅方向に伸縮可能な一対のドラム構成体によって構成され、これらのドラム構成体の外周壁部には、少なくとも回転軸線方向一端部に開口する不連続部と、回転軸線方向に延びる突出片とが、回転方向に所定間隔をおいて交互に形成されているとともに、一方のドラム構成体の突出片が他方のドラム構成体の不連続部に摺動自在に嵌合させられることにより前記カッタードラムが構成され、かつ、前記各突出片を含むドラム構成体の外面に、掘削用ビットが一体に取り付けられていることを特徴とする。
【００１０】
本発明の請求項２に記載の可変断面地中孔掘削機は、請求項１における一対のドラム構成体の内の一方が、掘削機本体に対して回転軸方向の相対移動が拘束されているとともに、他方のドラム構成体が一方のドラム構成体に対して相対移動可能となされていることを特徴とする。
【００１１】
また、請求項３に記載の可変断面地中孔掘削機は、請求項１における両ドラム構成体が、前記掘削機本体に対して回転軸方向に相対移動可能となされていることを特徴とする。
【００１２】
さらに、本発明の請求項４に記載の可変断面地中孔掘削装置は、請求項１から請求項３の何れかにおいて、少なくとも両ドラム構成体の嵌合部分に対向する位置に、両ドラム構成体へ向けて洗浄液体を噴射する洗浄装置が設けられていることを特徴とする。
【００１３】
【作用】
本発明の請求項１に記載の可変断面地中孔掘削装置によれば、カッタードラムが回転状態において、掘削機本体がその自重によって地盤へ圧接させられることにより、掘削機本体の下方の地盤が順次掘削される。
また、前記カッタードラムを構成するドラム構成体を回転軸方向に相対移動させることにより、掘削幅が変更されるが、このような両ドラム構成体の移動に伴い、それぞれに形成されている突出片が、他方の不連続部内を摺動させられる。ここで、両ドラム構成体が相互に離間する方向に相対移動させられた場合、各突出片が不連続部から引き出されるようにして移動させられ、この結果、不連続部が開放されることとなるが、その開放された不連続部の回転方向の両側部には突出片が位置する。
そして、これらの突出片の表面には、掘削用ビットが取り付けられているとともに、両ドラム構成体が常に回転させられていることから、前記開放された不連続部に対応する部分においても、前記突出片に取り付けられている掘削用ビットによって掘削が行なわれる。
したがって、カッタードラムの伸縮形態に係わらず、その全長に亙る掘削が行なわれる。
【００１４】
本発明の請求項２に記載の可変断面地中孔掘削機によれば、掘削機本体に固定されたドラム構成体に対して、他方のドラム構成体が移動させられることにより、掘削幅方向一方の孔壁の掘削が行なわれる。
【００１５】
また、本発明の請求項３に記載の可変断面地中孔掘削機によれば、掘削幅の変更に際して、両ドラム構成体が掘削機本体に対して相対移動させられることにより、掘削幅方向両側の孔壁の掘削が行なわれる。
【００１６】
さらに、本発明の請求項４に記載の可変断面地中孔掘削機によれば、必要に応じて洗浄装置から両ドラム構成体の嵌合部分に洗浄液が噴射されることにより、特に、伸張状態にあるカッタードラムに形成された不連続部における掘削土砂等の詰まりが除去される。
【００１７】
【実施例】
以下、本発明の一実施例について図２ないし図６に基づき説明する。
なお、以下の説明中、図１と共通する部分については同一符号を用いて説明を簡略化する。
【００１８】
図２は、本実施例に係わる掘削機１０を用いて地中孔Ａを掘削する際の、掘削設備全体を示すもので、前記掘削機１０を吊り下げるとともに、掘削の進行に伴ってこの掘削機１０を漸次下降させるクレーン１１を備え、このクレーン１１には、前記掘削機１０を吊り下げるためのワイヤ１２と、このワイヤ１２を所定の張力のもとに巻き上げあるいは送り出すオートテンションウィンチ１３と、前記掘削機１０へ駆動用の作動油を供給するための油圧ホースおよび掘削機１０に設置されている各種センサーからの検出信号が伝送される電気ケーブルからなる駆動用ケーブル１４と、掘削によって発生した泥を排出する排泥ホース１５と、前記掘削機１０やクレーン１１自体の作動、さらに、前記オートテンションウィンチ１３の作動を行なわせるための駆動源としてのパワーパック１６とが設けられている。
【００１９】
前記掘削機１０は、直方体状に形成された掘削機本体１７と、この掘削機本体１７の下方に回転可能に取り付けられた４組の掘削用のカッタードラム１８と、前記掘削機本体１７の４つの側面のそれぞれに、掘削方向（図２における上下方向）に間隔をおいて設けられた複数のアジャスタブルガイド１９と、前記掘削機本体１７に装着され、この掘削機本体１７の傾斜を計測する傾斜計２０とを備えている。
【００２０】
さらに詳述すれば、前記各カッタードラム１８は、その回転軸が相互に平行となるように取り付けられており、各ドラムカッター１８は、図３および図４に示すように、一対のドラム構成体１８ａ・１８ａによって構成されている。
そして、これらの各ドラム構成体１８ａの周壁部には、回転軸線方向一端部に開口する不連続部１８ｂと、回転軸線方向に延びる突出片１８ｃとが、回転方向に所定間隔をおいて交互に形成されて、略櫛歯状に形成されているとともに、一方のドラム構成体１８ａの突出片１８ｃが他方のドラム構成体１８ａの不連続部１８ｂに摺動自在に嵌合させられることにより前記カッタードラム１８が構成され、かつ、前記各突出片１８ｃを含むドラム構成体１８ａの外面に、掘削用ビット２１が一体に取り付けられている。
【００２１】
また、前記各カッタードラム１８は、前記掘削機本体１７の下部に垂設された支持ブロック２２に、回転軸線が水平となるように回転自在に取り付けられており、前記掘削機本体１７に設けられている油圧ポンプ（図示略）の回転が、前記支持ブロック２２に内装されている動力伝達機構を介して各カッタードラム１８へ伝達されることにより、これらの各カッタードラム１８が回転駆動させられるようになっている。
【００２２】
一方、前記各カッタードラム１８を構成するドラム構成体１８ａの内、前記支持ブロック２２側に位置させられる一方のドラム構成体１８ａが、支持ブロック２２に対して回転軸線方向の相対移動が拘束された状態で取り付けられているとともに、この一方のドラム構成体１８ａに、他方のドラム構成体１８ａが回転軸線方向に相対移動自在に装着されている。
【００２３】
そして、これらの両ドラム構成体１８ａ間には、これらの回転軸線周りの相対回動を拘束するガイド機構２３と、回転軸線方向の相対移動をなす伸縮機構２４とが設けられている。
【００２４】
前記ガイド機構２３は、図５に示すように、カッタードラム１８の回転軸線と平行に設けられ、前記一方のドラム構成体１８ａの内壁に一体に取り付けられた一対のガイドパイプ２５と、他方のドラム構成体１８ａの内部に一体に取り付けられて、前記ガイドパイプ２５内に摺動自在に嵌合される摺動ロッド２６とによって構成されており、本実施例においては、前記ガイドパイプ２５と摺動ロッド２６との間に、両者の摺動量、すなわち、カッタードラム１８の伸縮量を計測するための伸縮センサー２７が装着されている。
そして、この伸縮センサー２７は、前記駆動用ケーブル１４を構成する電気ケーブルを介して外部に設置されている制御手段へ電気的に接続されており、計測結果を電気信号として前記制御手段へ送出するようになっている。
【００２５】
また、前記伸縮機構２４は、同じく図５に示すように、前記他方のドラム構成体（可動側のドラム構成体）１８ａの回転中心に固定されたボルト２８と、前記支持ブロック２２に、ベアリング２９を介して回転自在に取り付けられるとともに、前記ボルト２８が螺合させられた駆動ナット３０と、この駆動ナット３０を回転駆動するドライブシャフト３１と、このドライブシャフト３１の回転を前記駆動ナット３０へ伝達するギヤ群３２とによって構成されている。
【００２６】
前記ギヤ群３２は、一対の傘歯車３２ａ・３２ｂによって構成されているとともに、ドライブシャフト３１に固定されている傘歯車３２ａは、ドライブシャフト３１とともに、その軸線方向に沿って移動させられることにより、他方の傘歯車３２ｂに対して係脱させられるようになっている。
したがって、前記ギヤ群３２の噛合によってドライブシャフト３１の回転が駆動ナット３０へ伝達されて、他方のドラム構成体１８ａの伸縮のための移動が行なわれ、また、ドライブシャフト３１の摺動によって噛合状態が解除されることにより、カッタードラム１８、ボルト２８、駆動ナット３０が一体となって回転させられるようになっている。
【００２７】
また、前記ドライブシャフト３１は、前記掘削機本体１７に設けられている油圧ポンプ等の駆動手段によって正逆両方向に選択的に回転させられるようになっているとともに、油圧シリンダ等のアクチュエータによって軸方向に往復移動させられるようになっている。
【００２８】
さらに、本実施例においては、前記掘削機本体１７の下端部に、図３に示すように、洗浄装置を構成する液体噴射ノズル３３が設けられて、前記両ドラム構成体１８ａの嵌合部分に対向させられて、この嵌合部分に洗浄水を噴射するようになっている。
【００２９】
ついで、このように構成された本実施例の掘削機１０の作用について、下方が拡幅された地中孔Ａを掘削する例に基づき説明する。
まず、掘削機１０をクレーン１１によって吊り上げるとともに、伸縮機構２４を作動させることにより、各カッタードラム１８が最小長さとなるように、両ドラム構成体１８ａを接近させておく。
【００３０】
これより、掘削機１０を掘削位置へ向けて下降させるとともに、各カッタードラム１８を回転させつつ地面に当接させることにより初期掘削が開始される。
【００３１】
この初期掘削が所定深さ行なわれると、掘削機本体１７の側面に設置されている各アジャスタブルガイド１９が孔内壁まで延ばされることにより、掘削機１０と地中孔Ａの内壁との間隔が規制されて、掘削機１０の姿勢が保持され、この状態で掘削が継続されることにより、幅狭の地中孔Ａが連続して掘削される。
【００３２】
そして、この幅狭の地中孔Ａが所定深さ掘削されると、掘削機１０の下降が停止される（クレーン１１によるワイヤ１２の送りが停止される）とともに、伸縮機構２４のドライブシャフト３１が軸方向に摺動させられて、その先端に固定されている傘歯車３２ａが、ボルト２８に固定されている傘歯車３２ｂに噛合させられる。
これより、前記ドライブシャフト３１が、図５に矢印（ヘ）で示す方向に回転させられるとともに、駆動ナット３０が同図に矢印（ト）で示すように回転させられる。
【００３３】
ここで、前記ボルト２８はその軸回りの回転が拘束されていることから、前述した駆動ナット３０の回転により、軸方向に移動させられ、この結果、他方のドラム構成体１８ａが、図５に矢印（チ）で示すように、一方のドラム構成体１８ａから離間する方向に移動させられる。
そして、両ドラム構成体１８ａの相対移動量が伸縮センサー２７によって検出され、他方のドラム構成体１８ａの移動量、すなわち、カッタードラム１８の伸張量が検出され、この伸張量が所定値に至った時点で前記ドライブシャフト３１が逆方向に移動させられることにより、駆動ナット３０とボルト２８との相対回転が停止されて、カッタードラム１８が、図４および図６に示すように、所定の伸張量に保持される。
【００３４】
このようなカッタードラム１８の伸張操作に際して、このカッタードラム１８の回転が継続して行なわれることにより、地中孔Ａの孔幅が拡大される。
【００３５】
ついで、前記カッタードラム１８が伸張され、かつ、回転駆動された状態において、クレーン１１によるワイヤ１２の送り停止が解除されることにより、掘削機１０による掘削が開始されて、前記幅狭の地中孔Ａの下方に、幅広の地中孔Ａが連続して形成される。
【００３６】
一方、前述したカッタードラム１８の伸張操作により、ドラム構成体１８ａに形成されている不連続部１８ｂから突出片１８ｃが引き出されることにより、前記不連続部１８ｂが開放されることとなる。
しかしながら、本実施例においては、この開放された不連続部１８ｂの、カッタードラム１８の回転方向両側に、前記突出片１８ｃが位置させられ、かつ、この突出片１８ｃの表面に掘削用ビット２１が取り付けられていることから、前述したカッタードラム１８の回転により、前記開放された不連続部１８ｂと対向する地盤においても掘削が行なわれる。
【００３７】
したがって、カッタードラム１８が伸張させられた状態のまま掘削が継続して行なわれ、孔幅の大きな地中孔Ａが連続して掘削される。
【００３８】
一方、このようにして地中孔Ａが１本掘削されると、掘削機１０が一旦地上へ引き上げられたのちに、既に掘削された地中孔Ａの側部に掘削機が１０移動させられて、前記作業が繰り返し行なわれることにより、同一の断面形状を有する地中孔Ａが壁面方向に連続して掘削される。
【００３９】
そして、下方が巾広となされた地中孔Ａから掘削機１０を地上へ引き上げるには、伸張させられているカッタードラム１８を収縮させて、幅狭の地中孔Ａに合致させる必要がある。
この場合、開放状態にある不連続部１８ｂに掘削土砂が入り込んで、両ドラム構成体１８ａの収縮方向への相対移動を阻害することが考えられる。
しかしながら、本実施例においては、掘削機本体１７の下部に設けられている液体噴射ノズル３３から、両ドラム構成体１８ａの嵌合部分に液体が噴射されることにより、前記不連続部１８ｂに入り込んだ土砂が排出され、これによって、両ドラム構成体１８ａの円滑な相対移動が確保され、掘削機１０の地上への引き上げが確実に行なわれる。
【００４０】
このように、本実施例に係わる掘削機１０によれば、断面を変化させるためにカッタードラム１８を伸張させた状態においても、その全長に亙る掘削が可能となり、幅広の地中孔Ａを掘削するに際して、カッタードラム１８の伸縮を繰り返す必要がなくなる。
【００４１】
したがって、掘削機１０の操作が簡素化されるばかりでなく、掘削機１０の作動中における非掘削時間が殆どなくなり、掘削能率の向上が図られる。
また、一旦伸張させられたカッタードラム１８は、所定深さの掘削が完了するまで、その状態が保持されることから、均一な掘削幅が容易に得られる。
【００４２】
なお、前記実施例において示した各構成部材の諸形状や寸法等は一例であって、設計要求等に基づき種々変更可能である。
たとえば、前記実施例においては、２つのカッタードラム１８を、その回転軸線方向に直列的に配設した例について示したが、１つであってもよいものである。
この場合には、カッタードラム１８の伸張方向が一方向となるため、掘削する地中孔Ａの断面形状も一面側のみに拡幅するような形状となる。
【００４３】
また、回転軸線方向に１つのカッタードラム１８を設ける場合には、両ドラム構成体１８ａを、両方ともに回転軸線方向へ移動させるような構成とすることも可能である。
このような構成とすることにより、カッタードラム１８の回転軸線方向両側に対して伸張させることができるので、１つのカッタードラム１８によって、前記実施例と同様の断面形状の地中孔Ａの掘削が可能となる。
但し、ドラム構成体１８ａの伸張量が制限され易くなるため、地中孔Ａの拡幅可能な長さが制限されることがある。
【００４４】
さらに、前記実施例においては、各ドラム構成体１８ａに形成される不連続部１８ｂが、ドラム構成体１８ａの回転軸線方向の一端部からその途中まで形成されている例について示したが、これに限られるものではなく、図７および図８に示すように、不連続部１８ｂをドラム構成体１８ａの全長に亙って設けるようにしてもよいものである。
これに伴って、突出片１８ｃも同様にドラム構成体１８ａの回転軸線方向の全長に亙って形成される。
そして、このような構成とすることにより、不連続部１８ａの両端が開放されることにより、掘削土砂の排出が良好となり、両ドラム構成体１８ａの円滑な相対移動が確保される。
【００４５】
また、前記実施例においては、直列に配設された一対のカッタードラム１８を同期させて伸縮させる例について説明したが、これらを個別に独立して伸縮させるようにすることも可能である。
そして、掘削する地中孔Ａの断面形状も、前記実施例に限られるものではなく、掘削機１０の下降操作中にカッタードラム１８を連続して伸張あるいは収縮させることにより、幅狭な部分と幅広の部分とをテーパー面でつなげるような断面形状の掘削も可能である。
【００４６】
【発明の効果】
以上説明したように、本発明の請求項１に記載の可変断面地中孔掘削装置は、特に、掘削機本体と、この掘削機本体の掘削方向前方に装着されたカッタードラムとを備え、このカッタードラムが地中孔の孔幅方向に伸縮可能な一対のドラム構成体によって構成され、これらのドラム構成体の外周壁部には、少なくとも回転軸線方向一端部に開口する不連続部と、回転軸線方向に延びる突出片とが、回転方向に所定間隔をおいて交互に形成されているとともに、一方のドラム構成体の突出片が他方のドラム構成体の不連続部に摺動自在に嵌合させられることにより前記カッタードラムが構成され、かつ、前記各突出片を含むドラム構成体の外面に掘削用ビットが一体に取り付けられていることを特徴とするもので、つぎのような優れた効果を奏する。
【００４７】
断面を変化させるためにカッタードラムを伸張させた状態においても、カッタードラムに形成される不連続部の、回転方向両側に突出片が位置され、これによって、前記不連続部の両側に掘削用ビットを位置させることができので、カッタードラムの全長に亙る掘削を行なうことができる。
したがって、幅広の地中孔を掘削するに際して、従来のようにカッタードラムの伸縮を繰り返す必要がなくなる。
【００４８】
これに伴って、掘削機の操作を簡素化することができるばかりでなく、掘削機の作動中における非掘削時間をなくし、掘削能率を向上させることができる。
また、一旦伸張させたカッタードラムを、その姿勢を変更することなく所定深さまで掘削を行なうことができ、これによって、掘削幅を一定にして均一な掘削幅を容易に得ることができる。
【００４９】
本発明の請求項２に記載の可変断面地中孔掘削機は、請求項１における一対のドラム構成体の内の一方が、掘削機本体に対して回転軸方向の相対移動が拘束されているとともに、他方のドラム構成体が一方のドラム構成体に対して相対移動可能となされていることを特徴とするもので、掘削する孔壁の一側壁のみを拡幅する際に容易に対応させることができる。
【００５０】
また、請求項３に記載の可変断面地中孔掘削機は、請求項１における両ドラム構成体が、前記掘削機本体に対して回転軸方向に相対移動可能となされていることを特徴とするもので、両ドラム構成体の伸縮を同時にあるいは選択に行なうことにより、掘削する地中孔の断面形状の多様化を図ることができる。
【００５１】
さらに、本発明の請求項４に記載の可変断面地中孔掘削装置は、請求項１から請求項３の何れかにおいて、少なくとも両ドラム構成体の嵌合部分に対向する位置に、両ドラム構成体へ向けて洗浄液体を噴射する洗浄装置が設けられていることを特徴とするもので、両ドラム構成体間に形成される隙間部分に掘削土砂が詰まった場合においても、その土砂を容易にかつ確実に除去することができ、ドラム構成体の伸縮を円滑なものとすることができる。
【図面の簡単な説明】
【図１】従来の可変断面地中孔掘削装置による掘削工程図である。
【図２】本発明の可変断面地中孔掘削装置の一実施例が用いられた掘削設備の全体を示す概略図である。
【図３】本発明の一実施例を示すもので、ドラムカッター部分の側面図である。
【図４】本発明の一実施例を示すもので、ドラムカッター部分の側面図である。
【図５】本発明の一実施例を示すもので、ドラムカッターの縦断面図である。
【図６】本発明の一実施例を示すもので、ドラムカッターの縦断面図である。
【図７】本発明の他の実施例を示すもので、ドラムカッターの側面図である。
【図８】本発明の他の実施例を示すもので、ドラムカッターの側面図である。
【符号の説明】
１０  掘削機
１７  掘削機本体
１８  カッタードラム
１８ａ  ドラム構成体
１８ｂ  不連続部
１８ｃ  突出片
２１  掘削用ビット
２３  ガイド機構
２４  伸縮機構
Ａ  地中孔
【図１】
0003561298.tif 000002
【図２】
0003561298.tif 000003
【図３】
0003561298.tif 000004
【図４】
0003561298.tif 000005
【図５】
0003561298.tif 000006
【図６】
0003561298.tif 000007
【図７】
0003561298.tif 000008
【図８】
0003561298.tif 000009